(57)【要約】【課題】打撃練習をするときに、ボールを投げる必要がなく、コンパクトでいつでも自由に練習できる野球用打撃練習設備を提供する。【解決手段】台座１に移動ピン１４を設け、弾性ディバイス１５の片側に固定設置し、弾性ディバイス１５の別側を台座１に固定し、移動ピン１４はボールを送り出す速度調整装置の締付けレバーにより制御される。台座１に留め金ピン１６を設け弾性板５４を固定し、移動ピン１４が留め金ピン１６に触れてから弾性板５４をリリースし、ボールを送り出す。ボールを送り出す装置２にシフトレバー５０を含む動力セット５を設け、シフトレバー５０がコネクティングロッド５１の一端を通り抜け、上蓋４の長穴４０まで延長して設置される。コネクティングロッド５１の別端をペダル５２のシャフト５２０に軸設する。動力セット５に弾性板５４を設け、留め金ピン１６に合わせて、ボールを送り出す。【選択図】図１
2011194121.tif 000002
【特許請求の範囲】
【請求項１】
移動ピン、第１弾性ディバイス、弾性板、及び、締付けレバーを有しボールを送り出す速度調整装置が設けられ、前記移動ピンは前記移動ピンの下方にある第１弾性ディバイスの片側に固定設置され、前記第１弾性ディバイスを利用して、前記移動ピンを原状に回復させる補助効果があり、かつ前記移動ピンは前記ボールを送り出す速度調整装置の前記締付けレバーにより制御され、さらに、前記留め金ピンを利用して前記弾性板を固定し、また前記移動ピンが前記留め金ピンに触れてから、前記弾性板をリリースし、ボールを送り出すように作動可能な前記台座と、
左ボディシェル及び右ボディシェルが設けられることにより、全部のコンポーネントが設けられることが可能であり、ばね状弾性ディバイス、ギアセット、第１シフトレバー、動力セット、及び、突出部と円体部とを有するシフトボディーが設けられ、ボールを送り出す時間の調整及び遅延作用を有し、前記ギアセットは互いに噛合う複数のギアにより組立てられ、前記ギアセットはまた歯棒により、前記第１シフトレバーの操作に合わせて、前記ばね状弾性ディバイスをきつく巻き付ける状態または緩める状態にし、前記ボールを送り出す速度調整装置の互いに噛合う第１傘状ギアと第２傘状ギアとが設けられ、前記第２傘状ギアは前記シフトボディーの内部に設置され、また前記シフトボディーの下方に第２シフトレバーが設けられ、前記第２シフトレバーの片側に前記締付けレバーが設けられ、また前記締付けレバーの上方に第２弾性ディバイスが設けられ、前記締付けレバーに欠け槽が設けられることにより、前記第２シフトレバーが延長して設置され、前記動力セットにコネクティングロッド及び前記第１シフトレバーが設けられ、前記第１シフトレバーは前記コネクティングロッドの一端を通り抜けるように設置され、上蓋の長穴まで延長して設置し、かつ前記歯棒の穴を貫通し、前記コネクティングロッドの別端をペダルのシャフトに軸設し、前記動力セットにペダルが設けられ、前記ペダルがプレッシングレバーを通り抜けるように設置可能であり、前記動力セットに前記弾性板が設けられ、前記留め金ピンに合わせて、ボールを送り出す作用を行うボールを送り出す装置と、
を備え、
前記上蓋の上方にボールを送り出す穴が設けられ、練習ボールを放置可能にすることを特徴とする野球用打撃練習装置。
【請求項２】
前記台座の底部に延伸板を設置するため、長い槽を設けることを特徴とする請求項１に記載の野球用打撃練習装置。
【請求項３】
前記移動ピンにシフト台を設け、前記移動ピンに締付け槽を設け、前記締付け槽は前記ボールを送り出す装置の前記締付けレバーに合わせて作動可能であり、前記移動ピンを定位させ、前記移動ピンに第１送り出す面を設け、前記留め金ピンに合わせて作動し、前記移動ピンの下方に受入槽を設けるため、前記第１弾性ディバイスの片側に固定設置することを特徴とする請求項１に記載の野球用打撃練習装置。
【請求項４】
前記移動ピンの前記シフト台の片側に前記第２シフトレバーをシフトすることにより、弧形凹槽を設けることを特徴とする請求項３に記載の野球用打撃練習装置。
【請求項５】
前記移動ピンの前記第１送り出す面は傾斜状であり、前記留め金ピンに合わせて作動することを特徴とする請求項３に記載の野球用打撃練習装置。
【請求項６】
前記留め金ピンに締付け面を設けることにより、前記ボールを送り出す装置の前記弾性板に合わせて作動し、前記留め金ピンに第２送り出す面を設けることにより、前記移動ピンの前記第１送り出す面に合わせて作動し、前記留め金ピンの両側に固定台を設け、かつ軸により前記留め金ピンと２つの前記固定台との間を通り抜けように設置することを特徴とする請求項１に記載の野球用打撃練習装置。
【請求項７】
前記固定台の後側にストップブロックを設けることにより、前記留め金ピンの回転角度を制限することを特徴とする請求項６に記載の野球用打撃練習装置。
【請求項８】
前記ボールを送り出す装置の前記左ボディシェルに穴を設け、ばね状弾性ディバイスを設置し、側蓋を締めた後に、締付けディバイスにより、前記左ボディシェルの締付け台に締め固定することを特徴とする請求項１に記載の野球用打撃練習装置。
【請求項９】
前記ギアセットに第１ギアを設け、前記第１ギアに軸を設け、前記軸は前記ばね状弾性ディバイスの別端に固定設置することが可能であることを特徴とする請求項１に記載の野球用打撃練習装置。
【請求項１０】
前記ギアセットの第１ギア側に第１槽を設けることにより、ボールを前記送り出す速度調整装置の前記第１傘状ギアに固定設置することを特徴とする請求項１に記載の野球用打撃練習装置。
【請求項１１】
前記ギアセットに第２ギアを設け、第１ギアは前記第２ギアの小ギアと噛合い、
前記ギアセットに第３ギアを設け、前記第２ギアは前記第３ギアの小ギアと噛合い、
前記ギアセットに第４ギアを設け、前記第３ギアは前記第４ギアの小ギアと噛合い、
前記ギアセットにバッファブロックを設け、前記バッファブロックに突出部を設けることにより、前記第４ギアの牙をシフトすることを特徴とする請求項１に記載の野球用打撃練習装置。
【請求項１２】
前記ギアセットの前記第４ギアは、数牙のみが分散することを特徴とする請求項１１に記載の野球用打撃練習装置。
【請求項１３】
前記ボールを送り出す速度調整装置の前記第１傘状ギアに第２槽を設け、前記第２槽と前記第１ギアの第１槽とが通じ合うために、第３弾性ディバイスを設置することにより、前記第１傘状ギアと前記第２傘状ギアとの噛合い具合を調整することを特徴とする請求項１に記載の野球用打撃練習装置。
【請求項１４】
前記ボールを送り出す速度調整装置の前記シフトボディーに軸穴を設け、その中に長軸を設置し、前記長軸は逆Ｔ字形であり、前記長軸は調整輪と固定設置することが可能であることを特徴とする請求項１に記載の野球用打撃練習装置。
【請求項１５】
前記ボールを送り出す速度調整装置の前記締付けレバーを前記右ボディシェルの直立槽に設けることを特徴とする請求項１に記載の野球用打撃練習装置。
【請求項１６】
前記ボールを送り出す装置に設ける前記動力セットの前記ペダルの後側にあるレバー部の間に前記上蓋を設置可能であることを特徴とする請求項１に記載の野球用打撃練習装置。
【請求項１７】
前記ボールを送り出す装置に設ける前記動力セットの前記ペダルのレバー部に軸を設け、かつ前記軸に複数のトルクディバイスを設け、かつ前記軸を前記レバー部の穴と前記上蓋の穴と前記ボールを送り出す装置の穴を通り抜けように設置することを特徴とする請求項１に記載の野球用打撃練習装置。
【請求項１８】
前記ボールを送り出す装置において、前記動力セットに前記弾性板を設け、前記弾性板の一端を底座と調整ブロックとの上方に固定設置し、前記底座と前記調整ブロックとの間に長いボルトを使用し、前記調整ブロックの位置を変更することを特徴とする請求項１に記載の野球用打撃練習装置。
【請求項１９】
移動ピン、第１弾性ディバイス、弾性板、及び、締付けレバーを有しボールを送り出す速度調整装置が設けられ、前記移動ピンは前記移動ピンの下方にある第１弾性ディバイスの片側に固定設置され、前記第１弾性ディバイスを利用して、前記移動ピンを原状に回復させる補助効果があり、かつ前記移動ピンは前記ボールを送り出す速度調整装置の前記締付けレバーにより制御され、さらに、前記留め金ピンを利用して前記弾性板を固定し、また前記移動ピンが前記留め金ピンに触れてから、前記弾性板をリリースし、ボールを送り出すように作動可能な前記台座と、
左ボディシェル及び右ボディシェルが設けられることにより、全部のコンポーネントが設けられることが可能であり、ばね状弾性ディバイス、ギアセット、第１シフトレバー、動力セット、及び、突出部と円体部とを有するシフトボディーが設けられ、ボールを送り出す時間の調整及び遅延作用を有し、前記ギアセットは互いに噛合う複数のギアにより組立てられ、前記ギアセットはまた歯棒により、前記第１シフトレバーの操作に合わせて、前記ばね状弾性ディバイスをきつく巻き付ける状態または緩める状態にし、前記ボールを送り出す速度調整装置の互いに噛合う第１傘状ギアと第２傘状ギアとが設けられ、前記第２傘状ギアは前記シフトボディーの内部に設置され、また前記シフトボディーの下方に第２シフトレバーが設けられ、前記第２シフトレバーの片側に前記締付けレバーが設けられ、また前記締付けレバーの上方に第２弾性ディバイスが設けられ、前記締付けレバーに欠け槽が設けられることにより、前記第２シフトレバーが延長して設置され、前記動力セットにコネクティングロッド及び前記第１シフトレバーが設けられ、前記第１シフトレバーは前記コネクティングロッドの一端を通り抜けるように設置され、上蓋の長穴まで延長して設置し、かつ前記歯棒の穴を貫通し、前記コネクティングロッドの別端をペダルのシャフトに軸設し、前記動力セットにペダルが設けられ、前記ペダルがプレッシングレバーを通り抜けるように設置可能であり、前記動力セットに前記弾性板が設けられ、前記留め金ピンに合わせて、ボールを送り出す作用を行うボールを送り出す装置と、
を備え、
前記上蓋の上方にボールを送り出す穴が設けられ、練習ボールを放置可能にし、
ボールウェイを有するボール供給装置をさらに備え、前記ボールウェイの末端に上側端、下側端、及び内側端を有する阻止ディバイスを設けることを特徴とする野球用打撃練習装置。
【請求項２０】
前記ボールウェイは内凹弧形であり、かつ前記ボールウェイに複数穴を設け、前記穴を利用することにより、練習ボールが下へ滑動する速度を緩めることを特徴とする請求項１９に記載の野球用打撃練習装置。
【請求項２１】
前記阻止ディバイスはＹ字型であることを特徴とする請求項１９に記載の野球用打撃練習装置。
【請求項２２】
前記ボールウェイは第１ディバイスと第２ディバイスにより組立てられ、かつ前記第１ディバイスの一端にある結合部と前記第２ディバイスの結合槽とは互いに結合し、また前記第１ディバイスに第１軸穴を設け、スタンドの第２軸穴に合わせて、軸を利用して、前記第１ディバイスの前記第１軸穴と前記スタンドの前記第２軸穴とを互いに軸設することを特徴とする請求項１９に記載の野球用打撃練習装置。
【発明の詳細な説明】
【技術分野】
【０００１】
本発明は野球用打撃練習装置に関し、特に打者が打撃位置から、打者が自分でボールを送り出す時間を設定すると、そのボールを送り出す時間に従ってボールを送り出し、打者がいつでも打撃練習ができる野球用打撃練習装置に関する。
【背景技術】
【０００２】
従来のコネクターは、例えば申請者が特許文献１の「ボールを送り出す装置」に開示するように、１つの弾性ディバイスを利用して、弾き上げ板を弾き上げ、かつ遅延コンポーネントにより、ボールを送り出す効果を遅延させるが、ボールを送り出す位置が固定されているために、使用者の身長に合わせて打撃練習ができない。
また特許文献２に開示されるものは、１つの弾性板を利用して練習ボールを設置するが、その欠点はボールを送り出す時間を遅延させることが出来ないため、打者が打撃位置につく前に、直ちにボールを送り出すので、打撃練習の目的に合わない。
ゆえに、本発明者は上記の熟知者の欠点に対して、研究改善し、本発明を発明した。
【先行技術文献】
【特許文献】
【０００３】
【特許文献１】台湾発明特許第５７４９３５号
【特許文献２】アメリカ特許第１９１２３６０号
【発明の概要】
【発明が解決しようとする課題】
【０００４】
本発明の目的は、野球打者が自分で打撃練習が可能な野球用打撃練習装置を提供し、打撃練習をするときに、ボールを投げる必要がなく、更にコンパクトな設計により、いつでも自由に練習可能な野球用打撃練習装置を提供する。
【課題を解決するための手段】
【０００５】
上記の目的を達成するため本発明に係る野球用打撃練習装置は、その中の台座に移動ピンを設け、移動ピンの下方にある弾性ディバイスの片側に固定設置し、弾性ディバイスの別側を台座に固定し、弾性ディバイスを利用して、上記の移動ピンを原状に回復する補助効果があり、かつ移動ピンはボールを送り出す速度調整装置の締付けレバーにより制御される。台座に留め金ピンを設け、留め金ピンを利用することにより、弾性板を固定し、また移動ピンが留め金ピンに触れてから、弾性板をリリースし、ボールを送り出す動作をすることができる。
【０００６】
さらに、本発明に係る野球用打撃練習装置は、その中のボールを送り出す装置に左ボディシェル及び右ボディシェルを設けることにより、ボールを送り出す装置の全部のコンポーネントを設けることができる。ばね状弾性ディバイスを設け、ボールを送り出す時間の調整および遅延作用を持つ。ギアセットを設け、ギアセットは互いに噛合う複数のギアにより組立てられ、ギアセットはまた歯棒により、シフトレバーの操作に合わせて、ばね状弾性ディバイスをきつく巻き付ける状態かまたは緩める状態にする。
【０００７】
またさらに、本発明に係る野球用打撃練習装置は、その中のボールを送り出す装置に互いに噛合う第１傘状ギアと第２傘状ギアを含むボールを送り出す速度調整装置を設け、第２傘状ギアはシフトボディーの内部に設置される。上記のシフトボディーは突出部と円体部を持ち、またシフトボディーの下方にシフトレバーを設け、シフトレバーの片側に締付けレバーを設け、また締付けレバーの上方に弾性ディバイスを設け、締付けレバーに欠け槽を設けることにより、シフトレバーを延長して設置する。
【０００８】
またさらに、本発明に係る野球用打撃練習装置は、その中のボールを送り出す装置にシフトレバーを含む動力セットを設け、シフトレバーがコネクティングロッドの一端を通り抜けるように設置され、上蓋の長穴まで延長して設置し、かつ上記の歯棒の穴を貫通する。動力セットにコネクティングロッドを設け、コネクティングロッドの別端をペダルのシャフトと軸設する。動力セットにペダルを設け、ペダルがプレッシングレバーを通り抜けるように設置することができる。動力セットに弾性板を設け、上記の留め金ピンに合わせて、ボールを送り出す。
またさらに、本発明に係るは野球用打撃練習装置は、その中の上蓋にボールを送り出す穴を設け、練習ボールを放置することにより、打者が自由に打撃練習ができる装置である。
【図面の簡単な説明】
【０００９】
【図１】本発明の一実施形態による野球用打撃練習装置を示す分解斜視図である。
【図２】本発明の一実施形態による野球用打撃練習装置を示す平面図である。
【図３】図２のＡ−Ａ線に沿う断面図である。
【図４】本発明の一実施形態による野球用打撃練習装置のボールを送り出す装置を示す分解斜視図である。
【図５】本発明の一実施形態にかかる野球用打撃練習装置において、準備状態を示す側面図である。
【図６】図５の断面図である。
【図７】本発明の一実施形態にかかる野球用打撃練習装置において、予備ボールを送り出す状態を示す側面図である。
【図８】図７の断面図である。
【図９】本発明の一実施形態にかかる野球用打撃練習装置において、ボールを送り出す状態を示す側面図である。
【図１０】本発明の一実施形態にかかる野球用打撃練習装置のボール供給装置を示す分解斜視図である。
【図１１】本発明の一実施形態にかかる野球用打撃練習装置に装置ボール供給装置を結合させた状態を示す斜視図である。
【図１２】本発明の一実施形態にかかる野球用打撃練習装置に装置ボール供給装置を結合させた状態を示す断面図である。
【図１３】本発明の一実施形態にかかる野球用打撃練習装置において、ボールを供給した状態を示す斜視図である。
【図１４】本発明の一実施形態にかかる野球用打撃練習装置のボール供給装置における阻止ディバイスの作用を示す断面図である。
【発明を実施するための形態】
【００１０】
（一実施形態）
以下、図面に基づいて本発明の一実施形態を説明する。
図１及び図２に示す通り、本発明の一実施形態による野球用打撃練習装置は、少なくとも以下の構造を備える。
台座１は、底部に１つまたは２つ以上の複数の長い槽１０を設けることにより、長い槽１０に同じ数量の延伸板１１を設置することができ、使用者が本装置を使用するとき、延伸板１１を外へ引っ張り出すことができ、地面に設置すると、本装置の安定性は増す。台座１の上方に複数の異なる槽１２、１３を設けることにより、別々に移動ピン１４とボールを送り出す装置２を設置し、その中の移動ピン１４の後側に高い突起状のシフト台１４０を設け、シフト台１４０の片側に複数の弧形凹槽１４１を設けることにより、シフトレバー５０をシフトし、更に移動ピン１４に締付け槽１４２を設け、締付け槽１４２に合わせて、ボールを送り出す装置２の中に設置する締付けレバー３５を作動させることができ、移動ピン１４を適当な位置に定位させる。また、移動ピン１４の前側に傾斜状の送り出す面１４３を設け、留め金ピン１６に合わせて作動する。また移動ピン１４の下方に受入槽１４４を設け、受入槽１４４を弾性ディバイス１５の片側に固定設置することができる。台座１に弾性ディバイス１５を設け、弾性ディバイス１５の片側にある移動ピン１４の受入槽１４４の中に固定設置する（図８及び図９参照）。別側を台座の適当な箇所に固定し、弾性ディバイス１５を利用することにより、移動ピン１４を原状回復する補助効果がある。台座１に留め金ピン１６を設け、留め金ピン１６に締付け面１６０を設け、ボールを送り出す装置２の弾性板５４に合わせて作動する。留め金ピン１６に送り出す面１６１を設け、移動ピン１４の送り出す面１４３に合わせて作動する。
【００１１】
さらに、移動ピンはボールを送り出す速度調整装置の締付けレバーにより制御される。台座に留め金ピンを設け、留め金ピンを利用して弾性板を固定し、また移動ピンが留め金ピンに触れてから、弾性板をリリースし、ボールを送り出す動作をすることができる。
あわせて移動ピン１４の送り出す面１４３が作動し、図９に示す通り、移動ピンが弾性ディバイス１５に引き戻されるとき、送り出す面１４３が留め金ピン１６の送り出す面１６１に触れてから、留め金ピン１６を回転させ、留め金ピン１６はボールを送り出す装置の弾性板５４をリリースすることにより、ボールを送り出す効果があり、更に留め金ピン１６の両側に別々に固定台１６２を設け、軸１６４を留め金ピン１６と二固定台１６２の間を通り抜けるように設置すると、留め金ピン１６が回転する作用があり、更に固定台１６２の後側にストップブロック１６３を設けることにより、留め金ピン１６の回転角度を制限する。
【００１２】
ボールを送り出す装置２は、図３から図６に示す通り、左ボディシェル２０及び右ボディシェル２１を設けることにより、ボールを送り出す装置の全部のコンポーネントを設けることができる。その中の左ボディシェル２０に穴２００を設けることにより、ばね状弾性ディバイス２２を設置し、かつ側蓋２２０を締めた後に、締付けディバイス２２１を左ボディシェル２０の締付け台２０１に締めて固定することができ、かつ側蓋２２０の内部を利用して、ばね状弾性ディバイス２２の一端を固定設置する（図３参照）。
【００１３】
ボールを送り出す装置にギアセット（図３及び図４参照）を設け、ギアセットは互いに噛合う複数のギアにより組立てられ、ギアセットに第１ギア２３を設け、第１ギア２３の片側に軸２３０を設け、軸２３０をばね状弾性ディバイス２２の別端に固定設置することができる（図３及び図６参照）。ギアセットを利用することにより、ばね状弾性ディバイス２２を駆動し、きつく巻き付けるかまたは緩めた状態にする。第１ギア２３の別側に槽２３１を設けることにより、ボールを送り出す速度調整装置３の第１傘状ギア３０を固定設置し、第１傘状ギア３０を利用することにより、第１ギア２３の支軸機能を果たし、第１ギア２３の下方は歯棒２３２に噛合い、歯棒２３２に穴２３３を設けることにより、シフトレバー５０が通り抜けるように設置される。ギアセットに第２ギア２４を設け、第１ギア２３が第２ギア２４の小ギア２４０に噛合い、第２ギア２４を右ボディシェル２１の第２軸２１１に軸設する。ギアセットに第３ギア２５を設け、第２ギア２４は第３ギア２５の小ギア２５０に噛合い、第３ギア２５を右ボディシェル２１の第３軸２１２に軸設する。ギアセットを第４ギア２６に設け、第３ギア２５が第４ギア２６の小ギア２６０に噛合い、第４ギア２６を右ボディシェル２１の第４軸２１３に軸設し、かつ第４ギア２６は数牙のみが分散し、シフトバッファブロック２７を片側に回転するように作動する。ギアセットにバッファブロック２７を設け、バッファブロック２７を右ボディシェル２１の第５軸２１４に軸設し、かつ緩衝ブロック２７の内側の上下に突出部２７０を設けることにより、第４ギア２６の牙をシフトし、ギアセットが回転するときに、多少の抵抗力を形成し、緩衝効果に類似する効果を形成し、ばね状弾性ディバイス２２がトルクを出すとき、ギアセットがギアボックスの原理を持ち、トルクを出す速度が速過ぎる問題を防止し、更に打者に打撃姿勢の調整時間を与え、かつ打撃位置を調整することができる。
【００１４】
ボールを送り出す装置２にボールを送り出す速度調整装置３を設け、ボールを送り出す速度調整装置３に互いに噛合う第１傘状ギア３０と第２傘状ギア３１とを設け、第１傘状ギア３０に槽３００を設け、槽３００と第１ギア２３の槽２３１とが通じ合い、弾性ディバイス３０１を設置することにより、第１傘状ギア３０と噛合う第２傘状ギア３１の具合を調整し、ギアセットの反転速度を調整する作用がある（図３参照）。次に、第２傘状ギア３１をシフトボディー３２の内部に設置し、かつシフトボディー３２と共同して作動する。またシフトボディー３２の片側に軸穴３２０を設けることにより、長軸３２１を設置し、長軸３２１は逆Ｔ字形を成し、よって長軸３２１は軸穴３２０の内側から外部へ伸び出し、かつ右ボディシェル２１を貫通することができる。上蓋４の後方の調整輪３３を固定設置し、調整輪３３を利用することにより、第１傘状ギア３０と第２傘状ギア３１の結合状態を調整することができる。シフトボディー３２の設置角度を変更することができ、ボールを送り出す速度も変更することができるために、使用者は自分のニーズにより、ボールを送り出す時間を調整する。
【００１５】
更にシフトボディー３２は螺旋状であることにより、比較的長い突出部３２２（図８及び図９参照）と円体部３２３とを形成する。またシフトボディー３２の下方にシフトレバー３４を設け、かつシフトレバー３４に支点３４０を設けることにより、シーソー作用を形成する。シフトレバー３４の片側に締付けレバー３５を設け、締付けレバー３５を右ボディシェル２１の直立槽２１５の中に設け、また締付けレバー３５の上方に弾性ディバイス３５０を設け、かつ締付けレバー３５に欠け槽３５１を設けることにより、シフトレバー３４を延長して設置する。図５及び図６に示す通り、通常時のシフトレバー３４の末端３４１は上方に浮き上がっており、締付けレバー３５が上方に向ってシフトされ、かつ締付けレバー３５が移動ピン１４の締付け槽１４２の中から離れるので、移動ピン１４は自由に移動することができる。しかしギアセットはばね状弾性ディバイス２２がきつく巻き付くとき、図７及び図８に示す通り、ギアセットが逆方向に回転するために、シフトボディー３２の円体部３２３はシフトレバー３４と接触し、シフトレバー３４は締付けレバー３５の弾性ディバイス３５０を下方へ圧迫する弾性作用により水平状になり、締付けレバー３５は移動ピンの締付け槽１４２の中に締付けられ、移動ピン１４は定位置になり、かつボールを送り出す前置状態を形成する。またギアセットはばね状弾性ディバイス２２がトルクを一定程度まで出すとき、図９に示す通り、ギアセットが正方向に回転するために、シフトボディー３２の突出部３２２はシフトレバー３４を強く圧迫し、シフトレバー３４の末端３４１が上方に浮き上がり、締付けレバー３５を上方に向ってシフトさせ、締付けレバー３５を移動ピン１４の締付け槽１４２の中から離れさせ、移動ピン１４は弾性ディバイス１５の作用を利用し、迅速に引き戻され、移動ピン１４により、カプラー１６を推進することにより、カプラー１６の弾性板をリリースし、ボールを送り出す作用を形成する。
【００１６】
ボールを送り出す装置に動力セット５を設け、動力セットにシフトレバー５０を設け、シフトレバー５０がコネクティングロッド５１の一端を通り抜けるように設置し、かつ上蓋４の長穴４０の中まで延長して設置され、かつ支え効果を果たし、シフトレバー５０がボールを送り出す装置の長穴２８を貫通した後、また歯棒２３２の穴２３３を貫通する。動力セット５にコネクティングロッド５１を設け、コネクティングロッド５１の別端をペダル５２のシャフト５２０に軸設し、かつペダル５２の第１穴５２１に固定設置する。動力セット５にペダル５２を設け、更にペダル５２に第２穴５２２を設けることにより、プレッシングレバー５３を通り抜けるように設置する。かつプレッシングレバー５３が上蓋４の弧形穴４１の両側を通り抜けるように設置され、かつペダル５２の後側にあるレバー部５２３の間に上蓋４を設置することにより、ペダルを上蓋前端の上方に設置し、レバー部５２３に軸５２４を設け、かつ軸に複数のトルクディバイス５２５を設け、軸５２４がレバー部５２３の穴５２６と上蓋４の穴４２とボールを送り出す装置２の穴２９を通り抜けるように設置することにより、ペダルに踏み効果をもたらす。動力セット５に弾性板５４を設け、かつ弾性板５４の一端を底座５４０と調整ブロック５４１の上方に固定設置し、底座５４０と調整ブロック５４１の間に長ボルト５４２を設けることにより、調整ブロック５４１の位置を変更させると弾性板５４の末端の弾力が変更され、ボールを送り出す速度と高度を変更することができる。
上蓋４はボールを送り出す装置の上方を閉じることができる以外に、長穴４０と弧形穴４１を設け、上方にボールを送り出す穴４３を設けることにより、練習ボール６を入れる。
【００１７】
上記をまとめると、練習打者が上蓋４のボールを送り出す穴４３に練習ボール６を入れてから、足でボールを送り出す装置の動力セット５のペダル５２を踏むと、シフトレバー５０を利用してギアセットの歯棒２３２を片側にシフトすることができ、かつギアセットを回転させ、ばね状弾性ディバイスをきつく巻き付けると同時に、移動ピン１４が定位置まで移動し、締付けレバー３５は移動ピン１４の締付け槽の中へ下降してから締付けられ、かつ弾性板５４はカプラー１６に固定され（図７及び図８参照）るので、打者は立つ位置と打撃姿勢を調整する時間ができる。このときのばね状弾性ディバイスは設定状態に従って、漸次トルクを出すことにより、ギアセットはボールを送り出す速度調整装置のシフトボディーが締付けレバー３５をリリースするまでに、逆方向に回転され、移動ピン１４が迅速に元の位置へ戻り、かつ移動ピン１４の送り出す面１４３により、カプラー１６を移動させ、カプラー１６が弾性板５４をリリースし、かつ弾性板５４は速やかに元の位置へ戻ることができる。更に弾性板５４を利用して、ボールを弾き出し、ボールを送り出す（図９参照）と、打者は打撃姿勢をとり、打撃練習用途の野球用打撃練習装置を提供することができる。
【００１８】
また、図１０から図１４に示す通り、練習装置にボール供給装置７に合わせることができ、ボール供給装置７にボールウェイ７０を設け、ボールウェイ７０は内凹弧形であり、練習ボール６の形状に合わせて、またボールウェイ７０に複数の穴７１を設け、これらの穴７１を利用することにより、練習ボールが下へ滑動する速度を緩め、かつボールウェイ７０の末端に阻止ディバイス７２を設置し、阻止ディバイス７２はＹ字型であり、かつボールウェイ７０と互いに軸設し、シーソー作用を形成することにより、上側端７２０は練習ボール６が継続して前進することを阻止することができ、また下側端７２１は、練習装置のペダル５２の上方に置かれ、かつ内側端７２２を練習ボール６の下方に設置することができる（図１２参照）。ただし使用者がペダル５２を踏み、練習ボール６がボールを送り出す穴４３の中に進入したとき、図１３及び図１４に示す通り、次の練習ボール６が入る前に、阻止ディバイス７２はその下側端７２１の重量により、内側端７２２を上方に浮き上がらせ、次の練習ボール６が継続して前進する効果を阻止する。更にボールウェイ７０の長さは、練習ボール６を１回に置く数量によって決める。図１０に示す通り、ボールウェイ７０は第１ディバイス７００と第２ディバイス７０１により組立てられ、かつ第１ディバイス７００の一端に結合部７０２を設けることにより、第２ディバイス７０１の一端に結合槽７０３を設け、かつ第１ディバイス７００の結合部７０２と第２ディバイス７０１の結合槽７０３を互いに結合させると、ボールウェイ７０の長さを延長することができる。更にボールウェイ７０を斜方向に設置するために、第１ディバイス７００の下方に軸穴７０４を設ける。さらにスタンド７３を設け、スタンド７３にも軸穴７３０を設け、軸７４を利用して、第１ディバイスの軸穴７０４とスタンド７３の軸穴７３０を互いに軸設すると、第１ディバイス７００とスタンド７３の組み合わせが完成され、スタンド７３を通して、ボールウェイ７０を斜方向に設置し、練習ボール６が自動的に前進し、使用者が打撃練習を中断しなくてすむ。
【符号の説明】
【００１９】
１：台座、１０：長い槽、１１：延伸板、１２、１３：槽、１４：移動ピン、１４０：シフト台、１４１：凹槽、１４２：締付け槽、１４３：送り出す面、１４４：受入槽、１５：弾性ディバイス、１６：留め金ピン、１６０：締付け面、１６１：送り出す面、１６２：固定台、１６４：軸、１６３：ストップブロック、２：ボールを送り出す装置、２０：左ボディシェル、２１：右ボディシェル、２００：穴、２０１：締付け台、２１１：第２軸、２１２：第３軸、２１３：第４軸、２１４：第５軸、２１５：直立槽、２２：ばね状弾性ディバイス、２２０：側蓋、２２１：締付けディバイス、２３：第１ギア、２３０：軸、２３１：槽、２３２：歯棒、２３３：穴、２４：第２ギア、２４０：小ギア、２５：第３ギア、２５０：小ギア、２６：第４ギア、２６０：小ギア、２７：バッファブロック、２７０：突出部、２８：長穴、２９：穴、３：ボールを送り出す速度調整装置、３０：第１傘状ギア、３１：第２傘状ギア、３００：槽、３０１：弾性ディバイス、３２：シフトボディー、３２０：軸穴、３２１：長軸、３３：調整輪、３２２：突出部、３２３：円体部、３４：シフトレバー、３４０：支点、３５：締付けレバー、３５０：弾性ディバイス、３５１：欠け槽、３４１：末端３４１、４：上蓋、４０：長穴、４１：弧形穴、４２：穴、４３：ボールを送り出す穴、５：動力セット、５０：シフトレバー、５１：コネクティングロッド、５２：ペダル、５２０：シャフト、５２１：第１穴、５２２：第２穴、５３：プレッシングレバー、５２３：レバー部、５２４：軸、５２５：トルクディバイス、５２６：穴、５４：弾性板、５４０：底座、５４１：調整ブロック、５４２：長ボルト、６：練習ボール、７：ボール供給装置、７０：ボールウェイ、７１：穴、７２：阻止ディバイス、７２０：上側端、７２１：下側端、７２２：内側端、７００：第１ディバイス、７０１：第２ディバイス、７０２：結合部、７０３：結合槽、７０４：軸穴、７３：スタンド、７３０：軸穴、７４：軸
【図１】
2011194121.tif 000003
【図２】
2011194121.tif 000004
【図３】
2011194121.tif 000005
【図４】
2011194121.tif 000006
【図５】
2011194121.tif 000007
【図６】
2011194121.tif 000008
【図７】
2011194121.tif 000009
【図８】
2011194121.tif 000010
【図９】
2011194121.tif 000011
【図１０】
2011194121.tif 000012
【図１１】
2011194121.tif 000013
【図１２】
2011194121.tif 000014
【図１３】
2011194121.tif 000015
【図１４】
2011194121.tif 000016